(57)【要約】      （修正有）【課題】発呼者にリングバックトーン用のコンテンツを試聴させること。【解決手段】発呼者が所望のリングバックトーンサービスに加入していなくても、発呼者端末と被呼者端末との通話処理後に、発呼者端末に対してアウトバウンドコールを発呼して、被呼者端末によって設定されたリングバックトーン用のコンテンツを再生するＩＶＲ装置１４０を備える。【選択図】図２
2012195814.tif 000002
【特許請求の範囲】
【請求項１】
リングバックトーン用のコンテンツを試聴させるリングバックトーン試聴システムであって、
発呼者端末と被呼者端末との通話処理後に、前記発呼者端末に対してアウトバウンドコールを発呼して、前記被呼者端末によって設定されたリングバックトーン用のコンテンツを再生するＩＶＲ装置
を備えるリングバックトーン試聴システム。
【請求項２】
再試聴を希望するリングバックトーン用のコンテンツの識別子を、前記発呼者端末からＳＭＳ受信した場合に、当該リングバックトーン用のコンテンツの識別子と、前記発呼者端末の電話番号とを、前記ＩＶＲ装置へ送信するＳＭＳ送受信装置
を更に備え、
前記ＩＶＲ装置は、前記発呼者端末が再試聴する旨を要求しているリングバックトーン用のコンテンツの識別子と、前記発呼者端末の電話番号とを、前記ＳＭＳ送受信装置から受信すると、前記発呼者端末の電話番号にアウトバウンドコールを発呼して、前記識別子によって識別されるリングバックトーン用のコンテンツを再生する
請求項１に記載のリングバックトーン試聴システム。
【請求項３】
前記ＳＭＳ送受信装置は、前記発呼者端末から前記被呼者端末への発呼処理中に、当該発呼処理中に再生されているリングバックトーン用のコンテンツの識別子を、前記発呼者端末へＳＭＳ送信し、当該リングバックトーン用のコンテンツの識別子を、前記発呼者端末からＳＭＳ受信した場合に、当該リングバックトーン用のコンテンツの識別子と、前記発呼者端末の電話番号とを、前記ＩＶＲ装置へ送信する
請求項２に記載のリングバックトーン試聴システム。
【請求項４】
前記発呼者端末から前記被呼者端末への発呼処理中に、当該発呼処理中に再生されているリングバックトーン用のコンテンツの識別子と、前記発呼者端末の電話番号とを、前記ＳＭＳ送受信装置へ送信するリングバックトーン音声信号処理装置
を更に備え、
前記ＳＭＳ送受信装置は、前記リングバックトーン用のコンテンツの識別子と、前記発呼者端末の電話番号とを、前記リングバックトーン音声信号処理装置から受信すると、前記リングバックトーン用のコンテンツの識別子を、前記発呼者端末の電話番号に対してＳＭＳ送信する
請求項３に記載のリングバックトーン試聴システム。
【発明の詳細な説明】
【技術分野】
【０００１】
本発明は、リングバックトーン試聴システムに関する。特に、本発明は、リングバックトーン用のコンテンツを試聴させるリングバックトーン試聴システムに関する。
【背景技術】
【０００２】
通信事業者は、携帯電話に掛かってきた呼に応答するまでの間、電話を掛けた側に通常の呼出中を示す音であるリングバックトーンとして、受け手が予め指定しておいた音楽又は音声等を聞かせるサービスを提供している。
【０００３】
加入者は、他の加入者に電話を掛けた時に聞いたコンテンツが気に入ったがそのコンテンツ情報が分からない場合等に、気に入ったコンテンツを使用している加入者の電話番号をキーとしてその加入者が所持するコンテンツ情報一覧の参照要求を行い、その加入者がコンテンツ情報を他者に公開する設定にしている場合に閲覧することができ、そのコンテンツ情報一覧からコンテンツを指定して購入することができる。
【０００４】
しかしながら、既知のリングバックトーン変更用コンテンツ提供システムは、キーとする電話番号の所有者が楽曲リストを公開しない場合には、これを他人が閲覧することができないし、また、閲覧できた場合でも、閲覧者と被閲覧者の楽曲に関する嗜好が合わなければ購入にまでは至らない可能性が高い。
【０００５】
この既知の方法は、コンテンツ購入機会の増大に一定の効果は期待できるものの、購入者の嗜好に合うコンテンツの購入機会の増大という点において不十分であるという問題がある。
【０００６】
特許文献１に記載の技術は、上記のような背景に鑑みて成された技術であって、加入者が他の加入者に電話を掛けたときに呼び出し中に聞いたリングバックトーンを宣伝呼中で確認し、購入する機会を作り出す技術を提示している。
【先行技術文献】
【特許文献】
【０００７】
【特許文献１】特開２００９−２１２６３１号公報
【発明の概要】
【発明が解決しようとする課題】
【０００８】
しかしながら、特許文献１に記載の技術は、所望のリングバックトーン用のコンテンツを利用するサービスに被呼者のみならず発呼者までもが加入していなければ、そのサービスを受けることができない。
【課題を解決するための手段】
【０００９】
上記課題を解決するために、本発明の第１の形態によると、リングバックトーン用のコンテンツを試聴させるリングバックトーン試聴システムであって、発呼者端末と被呼者端末との通話処理後に、発呼者端末に対してアウトバウンドコールを発呼して、被呼者端末によって設定されたリングバックトーン用のコンテンツを再生するＩＶＲ装置を備える。
【００１０】
なおまた、上記のように発明の概要は、本発明の必要な特徴の全てを列挙したものではなく、これらの特徴群のサブコンビネーションもまた、発明となり得る。
【発明の効果】
【００１１】
以上の説明から明らかなように、この発明は、所望のリングバックトーンのサービスに発呼者が加入していなくても、被呼者への発呼中に再生されていたリングバックトーン用のコンテンツを、通話後再試聴させることができる。
【図面の簡単な説明】
【００１２】
【図１】一実施形態に係るリングバックトーン試聴システム１００の利用環境の一例を示す図である。
【図２】リングバックトーン試聴システム１００の構成の一例を示す図である。
【図３】リングバックトーン音声信号処理装置１１０、リングバックトーン情報管理装置１２０、ＳＭＳ送受信装置１３０、ＩＶＲ装置１４０、ＭＳＣ装置２００、ＨＬＲ装置３００、発呼者の携帯電話４００、及び被呼者の携帯電話４００の動作シーケンスの一例を示す図である。
【図４】リングバックトーン音声信号処理装置１１０、リングバックトーン情報管理装置１２０、ＳＭＳ送受信装置１３０、ＩＶＲ装置１４０、ＭＳＣ装置２００、ＨＬＲ装置３００、発呼者の携帯電話４００、及び被呼者の携帯電話４００の動作シーケンスの一例を示す図である。
【図５】リングバックトーン音声信号処理装置１１０、リングバックトーン情報管理装置１２０、ＳＭＳ送受信装置１３０、ＩＶＲ装置１４０、ＭＳＣ装置２００、ＨＬＲ装置３００、発呼者の携帯電話４００、及び被呼者の携帯電話４００の動作シーケンスの一例を示す図である。
【発明を実施するための形態】
【００１３】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１４】
図１は、一実施形態に係るリングバックトーン試聴システム１００の利用環境の一例を示す。図２は、リングバックトーン試聴システム１００の構成の一例を示す。リングバックトーン試聴システム１００は、リングバックトーン用のコンテンツを試聴させるシステムである。ここで、リングバックトーンは、発呼者に回線交換作業が終了し、被呼者を呼び出し中であることを知らせるための音である。また、リングバックトーン用のコンテンツは、リングバックトーン用の音楽等のコンテンツである。
【００１５】
リングバックトーン試聴システム１００は、ＭＳＣ（Ｍｏｂｉｌｅ  Ｓｗｉｔｃｈｉｎｇ  Ｃｅｎｔｅｒ）装置２００、及び複数の携帯電話４００ａ、ｂ、ｃ、・・・（以下、携帯電話４００と総称する。）と、それぞれ通信回線５００を介して通信接続される。
【００１６】
発呼者の携帯電話４００がリングバックトーンサービスの加入者である被呼者の携帯電話４００に発呼する場合、リングバックトーン音声信号処理装置１１０は、リングバックトーン情報管理装置１２０に被呼者が事前に設定してあるリングバックトーン情報を検索して発呼者の携帯電話４００に対し再生させる。被呼者の携帯電話４００がオフフックしたら、リングバックトーンの再生が中止されるため、発呼者が通話後リングバックトーンの再試聴をしたい場合、特定のキーを押し、リングバックトーン音声信号処理装置１１０に対しリングバックトーンＩＤ（ｉｄｅｎｔｉｆｉｅｒ）の送信を要求する。リングバックトーン音声信号処理装置１１０はＤＴＭＦ（Ｄｕａｌ−Ｔｏｎｅ  Ｍｕｌｔｉ−Ｆｒｅｑｕｅｎｃｙ）機能により、キー入力情報を検出解析し、ＳＭＳ（Ｓｈｏｒｔ  Ｍｅｓｓａｇｅ  Ｓｅｒｖｉｃｅ）送受信装置１３０にリングバックトーンＩＤ及び発呼者番号等の情報を送信する。受信したＳＭＳ送受信装置１３０が発呼者の携帯電話４００に対しＳＭＳを送信し、リングバックトーンＩＤを通知する。
【００１７】
発呼者はＳＭＳ受信後ＳＭＳ送受信装置１３０に対し返信し、リングバックトーンの試聴を要求する。受信したＳＭＳ送受信装置１３０はＳＭＳに含まれているリングバックトーンＩＤと発呼者番号を抽出、ＩＶＲ（Ｉｎｔｅｒａｃｔｉｖｅ  Ｖｏｉｃｅ  Ｒｅｓｐｏｎｓｅ）装置１４０に転送する。ＩＶＲ装置１４０はリングバックトーンＩＤよりリングバックトーンの音源ファイルを検索、アウトバウンドコールで発呼者の携帯電話４００に発呼してから要求されたリングバックトーンを再生する。発呼者は試聴後ＩＶＲ装置１４０のガイダンスに従い、リングバックトーンの購入等他のＩＶＲサービスを受けることができる。
【００１８】
図３から図５は、リングバックトーン音声信号処理装置１１０、リングバックトーン情報管理装置１２０、ＳＭＳ送受信装置１３０、ＩＶＲ装置１４０、ＭＳＣ装置２００、ＨＬＲ装置３００、発呼者の携帯電話４００、及び被呼者の携帯電話４００の動作シーケンスの一例を示す。
【００１９】
先ず、発呼者の携帯電話４００はＭＳＣ装置２００に対し発呼を要求する（Ｓ１０１）。そして、ＭＳＣ装置２００はＨＬＲ（Ｈｏｍｅ  Ｌｏｃａｔｉｏｎ  Ｒｅｇｉｓｔｅｒ）装置３００にて被呼者がリングバックトーンサービス加入者であるかチェックする（Ｓ１０２）。そして、ＨＬＲ装置３００はＭＳＣ装置２００に対しチェック結果を応答する（Ｓ１０３）。そして、ＭＳＣ装置２００はＨＬＲ装置３００から被呼者がリングバックトーン加入者であるという結果を受けると、リングバックトーン音声信号処理装置１１０に対し発呼者の携帯電話４００へのリングバックトーンの再生を要求する（Ｓ１０４）。そして、ＭＳＣ装置２００が被呼者の携帯電話４００に着呼通知を行う（Ｓ１０５）。
【００２０】
そして、リングバックトーン音声信号処理装置１１０はリングバックトーン情報管理装置１２０に対し被呼者が設定してあるリングバックトーン情報の抽出を要求する（Ｓ１０６）。そして、リングバックトーン情報管理装置１２０はリングバックトーン音声信号処理装置１１０に対し検索結果を応答する（Ｓ１０７）。そして、リングバックトーン音声信号処理装置１１０は発呼者の携帯電話４００に対し被呼者が設定してあるリングバックトーンを再生する（Ｓ１０８）。
【００２１】
そして、発呼者は通話後も当該リングバックトーンを再度試聴したいと思った場合、特定のキー操作でリングバックトーン音声信号処理装置１１０に対しリングバックトーンＩＤの送信を要求する（Ｓ１０９）。そして、リングバックトーン音声信号処理装置１１０はリングバックトーンＩＤと発呼者番号をＳＭＳ送受信装置１３０に通知し、発呼者の携帯電話４００へのＳＭＳ通知を要求する（Ｓ１１０）。そして、ＳＭＳ送受信装置１３０はリングバックトーンＩＤをＳＭＳで発呼者の携帯電話４００に送信する（Ｓ１１１）。
【００２２】
そして、被呼者がオフフックすると（Ｓ１１２）、ＭＳＣ装置２００はリングバックトーン音声信号処理装置１１０に対しリングバックトーン再生の中止を要求する（Ｓ１１３）。そして、リングバックトーン音声信号処理装置１１０はリングバックトーン再生を中止する（Ｓ１１４）。そして、発呼者と被呼者との通話が開始される（Ｓ１１５）。
【００２３】
そして、被呼者との通話が終了した後（Ｓ１１６）、発呼者は受信したＳＭＳの返信で、ＳＭＳ送受信装置１３０に対しリングバックトーン試聴を要求する（Ｓ１１７）。そして、ＳＭＳ送受信装置１３０は受信したＳＭＳからリングバックトーンＩＤと発呼者番号を抽出して、ＩＶＲ装置１４０に転送し、発呼者の携帯電話４００へのリングバックトーン再生を要求する（Ｓ１１８）。そして、ＩＶＲ装置１４０はアウトバウンドコールを発呼者の携帯電話４００に対し発呼し、要求されたリングバックトーンを再生する（Ｓ１１９）。そして、発呼者が電話を切ると、試聴が終了する。
【００２４】
本発明によれば、発呼者が発呼中に簡単なキー操作を行うことで、再生中のリングバックトーン識別情報を取得でき、途中で中止されたリングバックトーンの再生を通話後にＩＶＲ装置１４０のアウトバウンドコールによってフル試聴することができるようになる。
【００２５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００２６】
１００  リングバックトーン試聴システム
１１０  リングバックトーン音声信号処理装置
１２０  リングバックトーン情報管理装置
１３０  ＳＭＳ送受信装置
１４０  ＩＶＲ装置
２００  ＭＳＣ装置
３００  ＨＬＲ装置
４００  携帯電話
５００  通信回線
【図１】
2012195814.tif 000003
【図２】
2012195814.tif 000004
【図３】
2012195814.tif 000005
【図４】
2012195814.tif 000006
【図５】
2012195814.tif 000007